(57)【要約】【課題】端末と情報処理装置との通信を回避した取引処理を実行できる取引処理プログラムを提供する。【解決手段】取引処理プログラムは、端末に対応する専用口座を指定した、出金取引に関する第１の指示を受け付けると、前記第１の指示に対応する第１の金額を顧客の識別情報と対応づけて情報処理装置に記録する処理を依頼し、前記識別情報を指定した、前記出金取引に関する第２の指示を受け付けると、前記第２の指示に対応する第２の金額の出金処理を実行するとともに、前記情報処理装置に対して、記録された前記第１の金額を前記第２の金額に基づいて更新する処理を依頼する、処理をコンピュータに実行させることを特徴とする。【選択図】図１１
2019212185.tif 000002
【特許請求の範囲】
【請求項１】
端末に対応する専用口座を指定した、出金取引に関する第１の指示を受け付けると、前記第１の指示に対応する第１の金額を顧客の識別情報と対応づけて情報処理装置に記録する処理を依頼し、
前記識別情報を指定した、前記出金取引に関する第２の指示を受け付けると、前記第２の指示に対応する第２の金額の出金処理を実行するとともに、前記情報処理装置に対して、記録された前記第１の金額を前記第２の金額に基づいて更新する処理を依頼する、
処理をコンピュータに実行させることを特徴とする取引処理プログラム。
【請求項２】
前記コンピュータに、
前記第１の指示に対応する第１の金額を前記専用口座から出金して前記識別情報と対応づけて前記情報処理装置に記録する処理を依頼する、
処理を実行させることを特徴とする請求項１に記載の取引処理プログラム。
【請求項３】
前記コンピュータに、
前記情報処理装置に対して、記録された前記第１の金額から前記第２の金額を減額した第３の金額に更新する処理を依頼する、
処理を実行させることを特徴とする請求項１又は２に記載の取引処理プログラム。
【請求項４】
勘定系のホスト装置に預金口座と区別して端末に対応付けて登録された振替用口座を識別する第１の識別情報を指定した、出金取引に関する第１の指示を受け付けると、前記第１の識別情報の振替用口座に資金が振り替えられている場合には、前記第１の指示に対応する第１の金額の資金を表す金銭情報を、顧客を識別する第２の識別情報と対応づけて情報処理装置に記録する処理を依頼し、
前記第２の識別情報を指定した、前記出金取引に関する第２の指示を受け付けると、前記第２の指示に対応する第２の金額の資金を表す金銭情報に対する出金処理を実行するとともに、前記情報処理装置に対して、記録された前記第１の金額の金銭情報を前記第２の金額の金銭情報に基づいて更新する処理を依頼する、
処理をコンピュータに実行させることを特徴とする取引処理プログラム。
【請求項５】
前記コンピュータに、
前記振替用口座に関する口座番号を事前に記憶させ、記憶させた前記口座番号に基づいて、前記コンピュータに対して入力された口座番号の正当性を確認する、
処理を実行させることを特徴とする請求項４に記載の取引処理プログラム。
【請求項６】
前記コンピュータに、
前記振替用口座に関する店番、科目、及び口座番号を含む口座情報を事前に記憶させ、前記コンピュータに対して口座番号が入力された場合、入力された前記口座番号を含む前記口座情報に基づいて、前記ホスト装置に送信する情報を生成する、
処理を実行させることを特徴とする請求項４又は５に記載の取引処理プログラム。
【請求項７】
前記端末と前記情報処理装置との通信は遮断されている、
ことを特徴とする請求項１から６のいずれか１項に記載の取引処理プログラム。
【請求項８】
端末に対応する専用口座を指定した、出金取引に関する第１の指示を受け付けると、前記第１の指示に対応する第１の金額を顧客の識別情報と対応づけて情報処理装置に記録する処理を依頼し、
前記識別情報を指定した、前記出金取引に関する第２の指示を受け付けると、前記第２の指示に対応する第２の金額の出金処理を実行するとともに、前記情報処理装置に対して、記録された前記第１の金額を前記第２の金額に基づいて更新する処理を依頼する、
処理をコンピュータが実行することを特徴とする取引処理方法。
【請求項９】
端末に対応する専用口座を指定した、出金取引に関する第１の指示、及び顧客の識別情報を指定した、出金取引に関する第２の指示を受け付ける指示受付部と、
前記第２の指示を受け付けると、前記第２の指示に対応する第２の金額の出金処理を実行する処理実行部と、
前記第１の指示を受け付けると、前記第１の指示に対応する第１の金額を前記識別情報と対応づけて情報処理装置に記録する処理を依頼し、前記第２の指示を受け付けると、前記情報処理装置に対して、記録された前記第１の金額を前記第２の金額に基づいて更新する処理を依頼する処理依頼部と、
を備えることを特徴とする取引処理機。
【請求項１０】
端末に対応する専用口座が登録された勘定系のホスト装置と、
情報処理装置と、
前記専用口座を指定した、出金取引に関する第１の指示を受け付けると、前記第１の指示に対応する第１の金額を顧客の識別情報と対応づけて前記情報処理装置に記録する処理を依頼し、前記識別情報を指定した、前記出金取引に関する第２の指示を受け付けると、前記第２の指示に対応する第２の金額の出金処理を実行するとともに、前記情報処理装置に対して、記録された前記第１の金額を前記第２の金額に基づいて更新する処理を依頼する取引処理機と、
を備えることを特徴とする取引処理システム。
【請求項１１】
端末に対応する専用口座が登録された勘定系のホスト装置と、
前記専用口座を指定した、出金取引に関する第１の指示を受け付けると、前記第１の指示に対応する第１の金額を顧客の識別情報と対応づけて保持し、前記識別情報を指定した、前記出金取引に関する第２の指示を受け付けると、前記第２の指示に対応する第２の金額の出金処理を実行するとともに、保持した前記第１の金額を前記第２の金額に基づいて更新する取引処理機と、
を備えることを特徴とする取引処理システム。
【発明の詳細な説明】
【技術分野】
【０００１】
本件は、取引処理プログラム、取引処理方法、取引処理機、及び取引処理システムに関する。
【背景技術】
【０００２】
銀行における営業店事務の業務効率化を図る技術が知られている。具体的には、Automatic Teller Machine（ＡＴＭ）と金融端末とのセットであるモジュールボックスと、モジュールボックス専用口座Database（ＤＢ）を含むホストコンピュータがネットワークを介して接続されたシステムが知られている。尚、モジュールボックス専用口座ＤＢはモジュールボックスによる決済取引の機能を実現するために導入された専用口座である（以上、特許文献１参照）。
【先行技術文献】
【特許文献】
【０００３】
【特許文献１】特開２００６−１３３８２７号公報
【発明の概要】
【発明が解決しようとする課題】
【０００４】
ところで、金融端末といった端末はホストコンピュータといった勘定系のホスト装置が管理する顧客口座から取得した金銭情報をモジュールボックス専用口座ＤＢといった情報処理装置に記録している。そして、ＡＴＭを含む取引処理機が情報処理装置に記録された金銭情報を利用して出金取引を含む各種の取引処理を実行している。このように、上述したシステムは、取引処理機が取引処理を実行する前に、端末が情報処理装置と通信して、金銭情報を情報処理装置に記録できることを前提としている。
【０００５】
しかしながら、端末が情報処理装置と通信するためには取引処理機の改造が必要となり費用がかかる。このため、端末が情報処理装置と通信できない状況においても、上述したシステムと同様の構成で取引処理機が各種の取引処理を実行できれば、システムの利便性が向上する。
【０００６】
そこで、１つの側面では、端末と情報処理装置との通信を回避した取引処理を実行できる取引処理プログラム、取引処理方法、取引処理機、及び取引処理システムを提供することを目的とする。
【課題を解決するための手段】
【０００７】
１つの実施態様では、取引処理プログラムは、端末に対応する専用口座を指定した、出金取引に関する第１の指示を受け付けると、前記第１の指示に対応する第１の金額を顧客の識別情報と対応づけて情報処理装置に記録する処理を依頼し、前記識別情報を指定した、前記出金取引に関する第２の指示を受け付けると、前記第２の指示に対応する第２の金額の出金処理を実行するとともに、前記情報処理装置に対して、記録された前記第１の金額を前記第２の金額に基づいて更新する処理を依頼する、処理をコンピュータに実行させることを特徴とする。
【発明の効果】
【０００８】
端末と情報処理装置との通信を回避した取引処理を実行することができる。
【図面の簡単な説明】
【０００９】
【図１】図１は取引処理システムの一例である。
【図２】図２は勘定系ホストのハードウェア構成の一例である。
【図３】図３は取引処理機のハードウェア構成の一例である。
【図４】図４は取引処理システムのブロック図である。
【図５】図５（ａ）乃至（ｅ）は取引処理機に表示される操作画面の一例である。
【図６】図６は取引処理機に記憶される口座情報の一例である。
【図７】図７は第１動作の処理シーケンス図の一例である。
【図８】図８（ａ）は振替画面の一例である。図８（ｂ）は振替前後の金銭情報記憶部の一例である。
【図９】図９は第２動作の処理シーケンス図の一例（その１）である。
【図１０】図１０は第２動作の処理シーケンス図の一例（その２）である。
【図１１】図１１（ａ）乃至（ｇ）は取引処理機に表示される操作画面の他の一例である。
【図１２】図１２（ａ）は出金前後の金銭情報記憶部の一例である。図１２（ｂ）は記録後の出金情報記憶部の一例である。図１２（ｃ）は更新前後の出金情報記憶部の一例である。
【発明を実施するための形態】
【００１０】
以下、本件を実施するための形態について図面を参照して説明する。
【００１１】
図１は取引処理システムＳＴの一例である。取引処理システムＳＴは端末としての営業店端末１００と勘定系のホスト装置を表す勘定系ホスト２００と情報処理装置としてのＤＢサーバ３００と取引処理機４００とを含んでいる。尚、ＤＢサーバ３００が有する機能を取引処理機４００に含めてもよい。
【００１２】
営業店端末１００と勘定系ホスト２００とＤＢサーバ３００と取引処理機４００は通信ネットワークＮＷによって接続されている。通信ネットワークＮＷとしては、例えば銀行専用のWide Area Network（ＷＡＮ）などがある。したがって、営業店端末１００は勘定系ホスト２００と通信することができる。また、取引処理機４００は勘定系ホスト２００及びＤＢサーバ３００にアクセスすることができる。一方、詳細は後述するが、本実施形態において、営業店端末１００はＤＢサーバ３００との通信仕様や通信規約の違いなどによりＤＢサーバ３００とは通信することができない。すなわち、営業店端末１００とＤＢサーバ３００との通信は遮断されている。
【００１３】
営業店端末１００は銀行の営業店ＢＲに設置される端末装置である。図１では、営業店端末１００の一例としてPersonal Computer（ＰＣ）が示されているが、タブレット端末といったスマートデバイスであってもよい。営業店端末１００は銀行の営業店ＢＲに所属する銀行員Ｐ１によって操作される。例えば、営業店ＢＲに銀行の顧客Ｐ２が来店すると、銀行員Ｐ１は顧客Ｐ２から用件を聞き出して受け付け、受け付けた用件に応じた操作を営業店端末１００に対して行う。そして、銀行員Ｐ１は、操作を行った後、取引処理機４００に向かうとともに、顧客Ｐ２を取引処理機４００に誘導する。
【００１４】
取引処理機４００では銀行員Ｐ１は現金に直接触れる作業以外の作業（例えば画面操作など）を顧客Ｐ２に代わって行う。取引処理機４００は画面操作に応じた指示を受け付けると、指示に応じた各種の処理を実行する。例えば、取引処理機４００は現金の払い出しに関する指示を受け付けると、現金を払い出す。取引処理機４００から現金が払い出されると、銀行員Ｐ１は顧客Ｐ２に現金の受け取りを依頼する。これにより、顧客Ｐ２は現金を受け取ることができる。このように、銀行員Ｐ１が現金に直接触れることがないため、銀行員Ｐ１は現金を数える手間を省くことができる。同様の理由により、銀行員Ｐ１が不正を働くことを抑止することができる。尚、図１では、１台の営業店端末１００と１台の取引処理機４００のセットが示されているが、複数台の営業店端末１００が１台の取引処理機４００を共用するようにしてもよい。
【００１５】
勘定系ホスト２００は銀行が管理する銀行口座（例えば普通預金口座や当座預金口座など）の勘定に関する業務を支援する。詳細は後述するが、営業店端末１００が操作されると、勘定系ホスト２００は営業店端末１００に対する操作に応じた指示に基づいて勘定を動かす種々の処理を実行する。一方、ＤＢサーバ３００は例えば取引処理機４００から払い出す現金の出金に関する出金情報などを一時的に記憶する。詳細は後述するが、取引処理機４００が操作されると、ＤＢサーバ３００は取引処理機４００に対する操作に応じた指示に基づいて出金情報の記録や更新といった種々の処理を実行する。
【００１６】
尚、勘定系ホスト２００とＤＢサーバ３００は銀行センターＢＣ内に配置される。銀行センターＢＣは銀行の業務を支援するコンピュータシステムである。ＤＢサーバ３００は営業店端末１００と勘定系ホスト２００の中間層として銀行センターＢＣ内に配置される。
【００１７】
以下、取引処理システムＳＴの詳細について説明する。
【００１８】
図２は勘定系ホスト２００のハードウェア構成の一例である。尚、上述した営業店端末１００及びＤＢサーバ３００については基本的に勘定系ホスト２００と同様のハードウェア構成であるため、説明を省略する。図２に示すように、勘定系ホスト２００は、少なくともハードウェアプロセッサとしてのCentral Processing Unit（ＣＰＵ）２００Ａ、Random Access Memory（ＲＡＭ）２００Ｂ、Read Only Memory（ＲＯＭ）２００Ｃ及びネットワークＩ／Ｆ（インタフェース）２００Ｄを含んでいる。ＣＰＵ２００Ａに代えてMicro Processing Unit（ＭＰＵ）をハードウェアプロセッサとして利用してもよい。勘定系ホスト２００は、必要に応じて、Hard Disk Drive（ＨＤＤ）２００Ｅ、入力Ｉ／Ｆ２００Ｆ、出力Ｉ／Ｆ２００Ｇ、入出力Ｉ／Ｆ２００Ｈ、ドライブ装置２００Ｉの少なくとも１つを含んでいてもよい。ＣＰＵ２００Ａからドライブ装置２００Ｉまでは、内部バス２００Ｊによって互いに接続されている。すなわち、勘定系ホスト２００はコンピュータによって実現することができる。
【００１９】
入力Ｉ／Ｆ２００Ｆには、入力装置７１０が接続される。入力装置７１０としては、例えばキーボードやマウスなどがある。出力Ｉ／Ｆ２００Ｇには、表示装置７２０が接続される。表示装置７２０としては、例えば液晶ディスプレイがある。入出力Ｉ／Ｆ２００Ｈには、半導体メモリ７３０が接続される。半導体メモリ７３０としては、例えばUniversal Serial Bus（ＵＳＢ）メモリやフラッシュメモリなどがある。入出力Ｉ／Ｆ２００Ｈは、半導体メモリ７３０に記憶されたプログラムやデータを読み取る。入力Ｉ／Ｆ２００Ｆ及び入出力Ｉ／Ｆ２００Ｈは、例えばＵＳＢポートを備えている。出力Ｉ／Ｆ２００Ｇは、例えばディスプレイポートを備えている。
【００２０】
ドライブ装置２００Ｉには、可搬型記録媒体７４０が挿入される。可搬型記録媒体７４０としては、例えばCompact Disc（ＣＤ）−ＲＯＭ、Digital Versatile Disc（ＤＶＤ）といったリムーバブルディスクがある。ドライブ装置２００Ｉは、可搬型記録媒体７４０に記録されたプログラムやデータを読み込む。ネットワークＩ／Ｆ２００Ｄは、例えばＬＡＮポートを備えている。ネットワークＩ／Ｆ２００Ｄは上述した通信ネットワークＮＷと接続される。
【００２１】
上述したＲＡＭ２００Ｂには、ＲＯＭ２００ＣやＨＤＤ２００Ｅに記憶されたプログラムがＣＰＵ２００Ａによって一時的に格納される。ＲＡＭ２００Ｂには、可搬型記録媒体７４０に記録されたプログラムがＣＰＵ２００Ａによって一時的に格納される。格納されたプログラムをＣＰＵ２００Ａが実行することにより、ＣＰＵ２００Ａは後述する各種の機能を実現し、また、後述する各種の処理を実行する。尚、プログラムは後述する処理シーケンス図に応じたものとすればよい。
【００２２】
図３は取引処理機４００のハードウェア構成の一例である。図３に示すように、取引処理機４００は、ハードウェアプロセッサとしてのＣＰＵ４００Ａ、ＲＡＭ４００Ｂ、ＲＯＭ４００Ｃ、Non-Volatile Memory（ＮＶＭ）４００Ｄ、及び媒体処理装置４００Ｅを含んでいる。媒体処理装置４００Ｅは通帳といった媒体を受け入れて印字を含む各種の処理を実行し、処理後の媒体を排出する装置である。
【００２３】
また、取引処理機４００は、現金排出機構４００Ｆ、生体認証センサ４００Ｇ、タッチパネル４００Ｈ、ディスプレイ４００Ｉ、及びネットワークＩ／Ｆ４００Ｊを含んでいる。現金排出機構４００Ｆは取引処理機４００に格納された現金を取引処理機４００の現金取出口に排出する機構である。顧客Ｐ２は現金取出口に排出された現金を受け取ることができる。ＣＰＵ４００ＡからネットワークＩ／Ｆ４００Ｊまでは、内部バス４００Ｋによって互いに接続されている。尚、ＣＰＵ４００Ａに代えてＭＰＵをハードウェアプロセッサとして利用してもよい。
【００２４】
上述したＲＡＭ４００Ｂには、ＲＯＭ４００ＣやＮＶＭ４００Ｄに記憶されたプログラムがＣＰＵ４００Ａによって一時的に格納される。格納されたプログラムをＣＰＵ４００Ａが実行することにより、ＣＰＵ４００Ａは後述する各種の機能を実現し、また、後述する各種の処理を実行する。尚、プログラムは後述する処理シーケンス図に応じたものとすればよい。
【００２５】
図４は取引処理システムＳＴのブロック図である。特に、図４では、営業店端末１００、勘定系ホスト２００、ＤＢサーバ３００、及び取引処理機４００が有する機能の構成を表している。
【００２６】
まず、営業店端末１００について説明する。営業店端末１００は振替受付部１１０と振替依頼部１２０を含んでいる。尚、振替受付部１１０は例えば入力Ｉ／Ｆ及びＣＰＵによって実現することができる。振替依頼部１２０はネットワークＩ／Ｆ及びＣＰＵによって実現することができる。
【００２７】
振替受付部１１０は振替指示を受け付ける。より詳しくは、顧客Ｐ２は取引伝票（例えば払戻請求書など）により普通預金口座の口座番号と金額を指定し、その取引伝票を銀行員Ｐ１に手渡す。銀行員Ｐ１は取引伝票が手渡されると、取引伝票に記載された記載事項の確認や取引伝票に捺印された印鑑の印鑑照合といった所定の作業を行い、営業店端末１００に対し振替操作を行う。振替操作は、勘定系ホスト２００で管理された顧客Ｐ２の銀行口座から、振替用（より詳細には振替専用）の口座である専用口座に取引伝票で指定された金額の資金を一時的に振り替える操作である。詳細は後述するが、専用口座は営業店端末１００に対応付けて勘定系ホスト２００に登録された顧客Ｐ２の銀行口座と異なる口座である。専用口座は営業店端末１００に対して専用口座を開設する開設操作が行われると、営業店端末１００が有する既存の口座開設機能に基づいて勘定系ホスト２００に登録される。専用口座は振替操作が行われる前に勘定系ホスト２００に登録しておく。専用口座は店番、科目又は種別（以下、単に科目という）、及び口座番号によって特定される。銀行員Ｐ１が営業店端末１００に対し振替操作を行うと、振替受付部１１０は振替操作に応じた振替指示を受け付ける。振替指示は顧客Ｐ２が指定する金額を含んでいる。振替受付部１１０は振替指示を受け付けると、受け付けた振替指示を振替依頼部１２０に出力する。
【００２８】
振替依頼部１２０は勘定系ホスト２００に対し振替処理を依頼する。より詳しくは、振替依頼部１２０は振替受付部１１０から出力された振替指示を受け付けると、受け付けた振替指示に含まれる金額の振替処理を勘定系ホスト２００に依頼する。振替処理は、顧客Ｐ２の銀行口座から営業店端末１００に対応付けられた特定の専用口座に振替指示に含まれる金額の資金を振り替える処理である。振替依頼部１２０が振替処理を依頼することで、勘定系ホスト２００は振替処理を実行する。
【００２９】
次に、勘定系ホスト２００について説明する。勘定系ホスト２００は金銭情報記憶部２１０、通信部２２０、及び依頼処理部２３０を含んでいる。尚、金銭情報記憶部２１０は例えば上述したＨＤＤ２００Ｅによって実現することができる。通信部２２０はネットワークＩ／Ｆ２００Ｄによって実現することができる。依頼処理部２３０はＣＰＵ２００Ａによって実現することができる。
【００３０】
金銭情報記憶部２１０は金銭情報を記憶する。より詳しくは、金銭情報記憶部２１０は顧客Ｐ２の銀行口座を識別する口座番号とその口座番号によって識別される銀行口座に預金された資金を表す金銭情報とを対応付けて記憶する。また、金銭情報記憶部２１０は専用口座を識別する口座番号とその口座番号によって識別される専用口座に振り替えられた資金を表す金銭情報とを対応付けて記憶する。
【００３１】
通信部２２０は勘定系ホスト２００と営業店端末１００との通信を制御する。また、通信部２２０は勘定系ホスト２００と取引処理機４００との通信を制御する。例えば、通信部２２０は各種の処理の依頼を受け付けると、受け付けた依頼の種別を判別し、判別結果に基づいて、振替部２３１、取得部２３２、出金部２３３のいずれかにその依頼を転送する。その他、通信部２２０は専用口座の口座残高を表す残高情報や出金額に関する出金情報を送信する。
【００３２】
依頼処理部２３０は通信部２２０から転送された依頼に応じた処理を実行する。依頼処理部２３０は振替部２３１、取得部２３２、及び出金部２３３を含んでいる。振替部２３１は通信部２２０から振替処理の依頼を受け付けると、金銭情報記憶部２１０にアクセスして、上述した振替処理を実行する。取得部２３２は通信部２２０から口座が指定された残高の送信処理の依頼を受け付けると、指定された口座を金銭情報記憶部２１０から特定し、特定した口座の口座残高を表す残高情報を、特定したその口座から取得して、通信部２２０に出力する。尚、当該口座は専用口座と顧客Ｐ２の口座のどちらであってもよい。出金部２３３は通信部２２０から口座と出金額が指定された出金処理の依頼を受け付けると、指定された口座を金銭情報記憶部２１０から特定し、指定された出金額を表す出金情報を、特定したその口座から取得して、通信部２２０に出力する。当該口座も専用口座と顧客Ｐ２の口座のどちらであってもよい。
【００３３】
次に、ＤＢサーバ３００について説明する。ＤＢサーバ３００は出金情報記憶部３１０、通信部３２０、及び情報処理部３３０を含んでいる。尚、出金情報記憶部３１０は例えばＨＤＤによって実現することができる。通信部３２０はネットワークＩ／Ｆによって実現することができる。情報処理部３３０はＣＰＵによって実現することができる。
【００３４】
出金情報記憶部３１０は出金情報を記憶する。より詳しくは、出金情報記憶部３１０は勘定系ホスト２００の通信部２２０から送信されて取引処理機４００を経由した出金情報を、顧客Ｐ２に対して一時的に割り当てられる識別情報と対応付けて記憶する。尚、詳細は後述するが、当該識別情報は情報処理部３３０によって生成されて出金情報と対応付けられる。識別情報としては例えば銀行員Ｐ１が顧客Ｐ２の用件を受け付けた後に採番される受付番号などがある。
【００３５】
通信部３２０はＤＢサーバ３００と取引処理機４００との通信を制御する。例えば、通信部３２０は取引処理機４００から顧客Ｐ２の識別情報と対応付けて送信された出金情報を受信し、情報処理部３３０に出力する。例えば、通信部３２０は取引処理機４００から出金情報に対する更新処理の依頼を受信すると、当該依頼を情報処理部３３０に転送する。その他、通信部３２０は各種の情報を受信したり、送信したりする。尚、通信部３２０は通信仕様や通信規約などの違いによりＤＢサーバ３００と営業店端末１００との通信を制御することができない。したがって、上述したように、ＤＢサーバ３００と営業店端末１００との通信は遮断されている。
【００３６】
情報処理部３３０は通信部３２０から出力された出金情報を出金情報記憶部３１０に記録し、記録金額を通信部３２０に出力する。情報処理部３３０は通信部３２０から更新処理の依頼を受け付けると、出金情報記憶部３１０に記録した出金情報を更新する更新処理を実行する。その他、情報処理部３３０は上述した顧客Ｐ２の識別情報を生成するなど、各種の情報処理を実行する。
【００３７】
次に、取引処理機４００について説明する。取引処理機４００は指示受付部４１０、処理依頼部４２０、画面表示部４３０、及び処理実行部４４０を含んでいる。尚、指示受付部４１０は例えばＣＰＵ４００Ａ及びタッチパネル４００Ｈによって実現することができる。処理依頼部４２０は例えばＣＰＵ４００Ａ及びネットワークＩ／Ｆ４００Ｊによって実現することができる。画面表示部４３０は例えばＣＰＵ４００Ａ及びディスプレイ４００Ｉによって実現することができる。処理実行部４４０は例えばＣＰＵ４００Ａ及び現金排出機構４００Ｆによって実現することができる。
【００３８】
指示受付部４１０は営業店端末１００に対応する専用口座を指定した、出金取引に関する第１指示を受け付ける。より詳しくは、画面表示部４３０に表示された後述する口座番号指定画面において専用口座の口座番号が指定された後、専用口座に振り替えられた資金を出金してＤＢサーバ３００に記録する操作が行われると、指示受付部４１０は、当該操作に基づいて、第１指示を受け付ける。また、指示受付部４１０は顧客Ｐ２の識別情報を指定した、出金取引に関する第２指示を受け付ける。より詳しくは、画面表示部４３０に表示された後述する取引選択画面において現金を払い出す取引を選択する操作が行われると、指示受付部４１０は当該操作に基づいて、第２指示を受け付ける。
【００３９】
処理依頼部４２０は指示受付部４１０が上述した第１指示を受け付けると、専用口座に残高がある場合には、第１指示に対応する金額の出金情報を顧客Ｐ２の識別情報と対応づけてＤＢサーバ３００に記録する処理を依頼する。処理依頼部４２０は指示受付部４１０が上述した第２指示を受け付けると、ＤＢサーバ３００に対して、記録された出金情報の金額を第２指示に対応する金額に基づいて更新する処理を依頼する。
【００４０】
画面表示部４３０は各種の画面を表示する。例えば、画面表示部４３０は専用口座の口座番号を指定する口座番号指定画面や、一時預り資金から現金を払い出す取引や一時預り資金から資金を振り込む取引を選択できる取引選択画面などを表示する。処理実行部４４０は指示受付部４１０が上述した第２指示を受け付けると、第２指示に対応する金額の出金処理を実行する。その他、処理実行部４４０は種々の処理を実行する。
【００４１】
続いて、図５及び図６を参照して、取引処理機４００に専用口座に関する口座情報を登録する操作などについて説明する。
【００４２】
図５（ａ）乃至（ｅ）は取引処理機４００に表示される操作画面の一例である。図６は取引処理機４００に記憶される口座情報の一例である。銀行員Ｐ１は専用口座を利用する取引を顧客Ｐ２に提供する場合、事前に取引処理機４００が有する口座情報記憶部（不図示）に専用口座に関する口座情報を登録する。具体的には、銀行員Ｐ１は取引処理機４００に対し係員操作画面を表示させる特定の操作を行う。取引処理機４００では、指示受付部４１０がこの特定の操作に応じた指示を受け付けると、画面表示部４３０は、図５（ａ）に示すように、係員操作画面を表示する。係員操作画面は専用口座に関する口座情報の登録に関する指示を行うための操作ボタンＢＴ１を含んでいる。
【００４３】
銀行員Ｐ１が操作ボタンＢＴ１を押下する操作を行うと、指示受付部４１０は当該操作に応じた指示を受け付ける。これにより、画面表示部４３０は、図５（ｂ）に示すように、処理選択画面を表示する。処理選択画面は専用口座に関する口座情報の登録処理を指示するための操作ボタンＢＴ２、登録された口座情報の照会処理を指示するための操作ボタンＢＴ３、及び登録された口座情報の削除処理を指示するための操作ボタンＢＴ４を含んでいる。
【００４４】
例えば、銀行員Ｐ１が操作ボタンＢＴ２を押下する操作を行うと、指示受付部４１０は当該操作に応じた指示を受け付ける。これにより、画面表示部４３０は、図５（ｃ）に示すように、口座情報の口座登録画面を表示する。尚、図５（ｃ）では店番と科目の入力欄は省略されている。銀行員Ｐ１は口座登録画面に対し勘定系ホスト２００に事前に登録された専用口座の店番、科目、口座番号とその専用口座の利用可否を認証する暗証番号を入力し、操作ボタンＢＴ５を押下する。銀行員Ｐ１が操作ボタンＢＴ５を押下する操作を行うと、指示受付部４１０は当該操作に応じた指示を受け付ける。処理実行部４４０は、指示受付部４１０が受け付けた指示により、口座登録画面で入力された店番、科目、口座番号、及び暗証番号を専用口座に関する口座情報として口座情報記憶部に登録する。この結果、図６に示すように、専用口座に関する口座情報が取引処理機４００に記憶される。
【００４５】
一方、銀行員Ｐ１が操作ボタンＢＴ３を押下する操作を行うと、指示受付部４１０は当該操作に応じた指示を受け付ける。これにより、画面表示部４３０は、図５（ｄ）に示すように、口座情報の口座照会画面を表示する。これにより、銀行員Ｐ１は取引処理機４００に登録されている暗証番号を除いた口座情報を確認することができる。また、銀行員Ｐ１が操作ボタンＢＴ４を押下する操作を行うと、指示受付部４１０は当該操作に応じた指示を受け付ける。これにより、画面表示部４３０は、図５（ｅ）に示すように、口座情報の口座削除画面を表示する。これにより、銀行員Ｐ１は取引処理機４００に登録されている口座情報を削除することができる。
【００４６】
続いて、図７及び図８を参照して、取引処理システムＳＴの第１動作について説明する。
【００４７】
図７は第１動作の処理シーケンス図の一例である。図８（ａ）は振替画面の一例である。図８（ｂ）は振替前後の金銭情報記憶部２１０の一例である。まず、図７に示すように、営業店端末１００の振替受付部１１０は振替指示を受け付ける（ステップＳ１０１）。例えば、出金取引に関する取引伝票を持参した顧客Ｐ２が営業店ＢＲに来店し、銀行員Ｐ１に取引伝票を手渡すとともに用件を伝えると、銀行員Ｐ１は振替画面を営業店端末１００に表示させる操作を行う。これにより、図８（ａ）に示すように、営業店端末１００は振替画面を表示する。銀行員Ｐ１は取引伝票に記載された顧客Ｐ２の普通預金の店番、科目、口座番号や金額に加え、専用口座の店番、科目、口座番号を振替画面に入力し、ポインタＰｔにより振替を実行する操作ボタンＢＴ６を押下する操作を行うと、振替受付部１１０は当該操作に応じた振替指示を受け付ける。尚、口座番号や金額の入力は、イメージリーダ機能とOptical Character Recognition（ＯＣＲ）機能を含む装置によって行われてもよい。
【００４８】
ステップＳ１０１の処理が完了すると、次いで、振替依頼部１２０は勘定系ホスト２００に対し振替処理を依頼する（ステップＳ１０２）。より詳しくは、振替依頼部１２０は振替画面に振替元として入力された顧客口座の店番、科目、口座番号と、振替画面に振替先として入力された専用口座の店番、科目、口座番号と振替画面に振替金額として入力された金額とを含む振替情報を勘定系ホスト２００に送信し、振替処理を依頼する。
【００４９】
勘定系ホスト２００では、営業店端末１００から振替処理が依頼されると、振替部２３１が振替処理を実行する（ステップＳ１０３）。より詳しくは、振替部２３１は営業店端末１００から送信された振替情報を受信すると、営業店端末１００で振替先として入力された店番、科目、及び口座番号に対応する専用口座を特定する。振替部２３１は専用口座を特定すると、振替情報に含まれる口座番号によって特定される口座の資金を振替情報に含まれる金額の分だけ、特定した専用口座に振り替える。これにより、図８（ｂ）に示すように、顧客Ｐ２の普通預金の口座残高が振替情報に含まれる金額の分だけ減少し、専用口座の口座残高がその金額の分だけ増加する。このように、取引伝票に記載された金額の資金が顧客Ｐ２の普通預金の口座から専用口座に移動する。銀行員Ｐ１はこれらの作業を終えると、顧客Ｐ２と共に取引処理機４００の前に移動する。
【００５０】
続いて、図９乃至図１２を参照して、取引処理システムＳＴの第２動作について説明する。
【００５１】
図９は第２動作の処理シーケンス図の一例（その１）である。図１０は第２動作の処理シーケンス図の一例（その２）である。図１１（ａ）乃至（ｇ）は取引処理機４００に表示される操作画面の他の一例である。図１２（ａ）は出金前後の金銭情報記憶部２１０の一例である。図１２（ｂ）は記録後の出金情報記憶部３１０の一例である。図１２（ｃ）は更新前後の出金情報記憶部３１０の一例である。尚、図９及び図１０に示す処理シーケンス図は対応する記号「Ａ」などにより連続している。
【００５２】
まず、図９に示すように、取引処理機４００の指示受付部４１０は表示指示を受け付ける（ステップＳ２０１）。表示指示は専用口座の口座残高を取引処理機４００に表示させる指示である。より詳しくは、図１１（ａ）に示すように、取引処理機４００の画面表示部４３０がメニュー画面を表示している状態で、銀行員Ｐ１が専用口座を利用した取引を行うことを指示する操作ボタンＢＴ７を押下する操作を行うと、指示受付部４１０は当該操作に応じた指示を受け付ける。これにより、画面表示部４３０は、図１１（ｂ）に示すように、専用口座の口座番号を指定する口座番号指定画面を表示する。
【００５３】
銀行員Ｐ１は自身が操作した営業店端末１００に対応する専用口座の口座番号を入力して操作ボタンＢＴ８を押下する操作を行うと、指示受付部４１０は当該操作に応じた指示を受け付ける。指示受付部４１０が指示を受け付けると、処理実行部４４０は口座番号指定画面で入力された口座番号と取引処理機４００が記憶する口座番号とを突き合わせ、入力された口座番号の正当性を確認する。すなわち、事前に取引処理機４００に口座番号を記憶させておくことで、入力された口座番号の入力誤りが抑止される。処理実行部４４０が口座番号の正当性を確認すると、画面表示部４３０は、図１１（ｃ）に示すように、暗証番号を指定する暗証番号指定画面を表示する。銀行員Ｐ１は暗証番号を入力して操作ボタンＢＴ９を押下する操作を行うと、指示受付部４１０は当該操作に応じた指示を受け付ける。指示受付部４１０が指示を受け付けると、処理実行部４４０は口座番号指定画面で入力された暗証番号と取引処理機４００が記憶する暗証番号とを突き合わせて、暗証番号を認証する。処理実行部４４０が暗証番号を認証すると、画面表示部４３０は、図１１（ｄ）に示すように、次の画面が表示されるまで待機を求める待機画面を表示する。このように、指示受付部４１０は複数の指示により表示指示を受け付ける。尚、メニュー画面と暗証番号指定画面の表示を省略し、操作ボタンＢＴ８を押下する操作を行った場合に、指示受付部４１０が表示指示を受け付けてもよい。
【００５４】
ステップＳ２０１の処理が完了すると、次いで、処理依頼部４２０は勘定系ホスト２００に対して専用口座の口座残高に関する送信処理を依頼する（ステップＳ２０２）。より詳しくは、口座番号指定画面で入力された専用口座の口座番号が正当であると確認できたため、処理依頼部４２０はその口座番号を含む口座情報を取引処理機４００から特定し、特定した口座情報を含む電文を表す残高取得情報を生成する。処理依頼部４２０は生成した残高取得情報を勘定系ホスト２００に送信して、送信処理を依頼する。このように、取引処理機４００に口座情報を記憶させておくことで、口座番号の入力によって、入力された口座番号と一致する口座番号と関連付けられた店番及び科目を特定することができ、店番及び科目の入力負担が回避される。
【００５５】
勘定系ホスト２００は送信処理が依頼されると、通信部２２０は残高情報を送信する（ステップＳ２０３）。より詳しくは、取得部２３２が通信部２２０を経由した残高取得情報を受け付けると、金銭情報記憶部２１０に登録された専用口座の中から、残高取得情報に含まれる店番、科目、及び口座番号に応じた専用口座を特定する。そして、取得部２３２は残高取得情報に含まれる暗証番号を利用して特定した専用口座に対するアクセスが許可されれば、残高情報を取得して通信部２２０に出力する。これにより、通信部２２０は取引処理機４００に向けて残高情報を送信する。
【００５６】
取引処理機４００では、処理依頼部４２０が残高情報を受信すると、画面表示部４３０は専用口座の口座残高を表示する（ステップＳ２０４）。より詳しくは、図１１（ｅ）に示すように、画面表示部４３０は残高情報によって特定される口座残高とその口座残高の資金の移動を指示する操作ボタンＢＴ１０を含む資金移動実行画面を表示する。尚、資金移動実行画面の表示を省略し、操作ボタンＢＴ１０の押下による指示を受け付けないで、処理依頼部４２０が後述するステップＳ２０６の処理を実行するようにしてもよい。
【００５７】
銀行員Ｐ１は操作ボタンＢＴ１０を押下する操作を行うと、指示受付部４１０は第１指示を受け付ける（ステップＳ２０５）。上述したように、第１指示は営業店端末１００に対応する専用口座を指定した、出金取引に関する指示である。専用口座は口座番号指定画面で指定されている。これにより、処理依頼部４２０は勘定系ホスト２００に対して出金処理を依頼する（ステップＳ２０６）。より詳しくは、資金移動実行画面内に表示された専用口座の口座残高の全額を専用口座から出金してＤＢサーバ３００に移動する出金処理を依頼する。ステップＳ２０６の処理が完了すると、画面表示部４３０は、図１１（ｆ）に示すように、次の画面が表示されるまで待機を求める待機画面を表示する。
【００５８】
勘定系ホスト２００は出金処理が依頼されると、出金部２３３は出金処理を実行する（ステップＳ２０７）。より詳しくは、図１２（ａ）に示すように、出金部２３３は資金移動実行画面内に表示された専用口座の口座残高の全額を金銭情報記憶部２１０の専用口座から出金する出金処理を実行する。ステップＳ２０７の処理が完了すると、通信部２２０は取引処理機４００に向けて出金情報を送信する（ステップＳ２０８）。より詳しくは、通信部２２０は出金した金額に関する出金情報を送信する。
【００５９】
取引処理機４００では、処理依頼部４２０が出金情報を受信すると、処理依頼部４２０はＤＢサーバ３００に対し記録処理を依頼する（ステップＳ２０９）。より詳しくは、処理依頼部４２０は受信した出金情報を含む記録情報を送信して、記録処理を依頼する。
【００６０】
ＤＢサーバ３００は記録処理が依頼されると、情報処理部３３０がＩＤ生成処理を実行する（ステップＳ２１０）。ＩＤ生成処理は顧客Ｐ２の識別情報を生成する処理である。本実施形態では識別情報として情報処理部３３０はお客様番号「７７」を生成する。ステップＳ２１０の処理が完了すると、情報処理部３３０は出金情報を記録する（ステップＳ２１１）。より詳しくは、情報処理部３３０が通信部３２０を経由した記録情報を受け付けると、記録情報に含まれる出金情報と生成した識別情報とを対応付けて出金情報記憶部３１０に記録する。これにより、図１２（ｂ）に示すように、出金情報記憶部３１０は識別情報に相当するお客様番号と出金情報に相当する一時預り資金とを対応付けて記憶する。情報処理部３３０は出金情報を記録すると、記録金額と識別情報とを通信部３２０に出力する。
【００６１】
ステップＳ２１１の処理が完了すると、図１０に示すように、ＤＢサーバ３００の通信部３２０は取引処理機４００に向けて記録金額を送信する（ステップＳ２１２）。より詳しくは、通信部３２０は記録金額と識別情報を送信する。取引処理機４００では、処理依頼部４２０が記録金額を受信すると、画面表示部４３０は専用口座に記録されている記録金額を表示する（ステップＳ２１３）。より詳しくは、図１１（ｇ）に示すように、画面表示部４３０は処理依頼部４２０が受信した記録金額と識別情報とを含む取引選択画面を表示する。その他、取引選択画面は取引処理機４００に対し現金の払い出しを指示する操作ボタンＢＴ１１、及び振込を指示する操作ボタンＢＴ１２も含んでいる。
【００６２】
ステップＳ２１３の処理が完了すると、指示受付部４１０は第２指示を受け付ける（ステップＳ２１４）。上述したように、第２指示は顧客Ｐ２の識別情報を指定した、出金取引に関する指示である。顧客Ｐ２の識別情報は取引選択画面内で指定されている。ここで、図１１（ｇ）に示すように、取引処理機４００の画面表示部４３０が取引選択画面を表示している状態で、銀行員Ｐ１が現金の払い出しを指示する操作ボタンＢＴ１１を押下する操作を行うと、指示受付部４１０は当該操作に応じた指示を第２指示として受け付ける。
【００６３】
指示受付部４１０は第２指示を受け付けると、処理実行部４４０は出金処理を実行する（ステップＳ２１５）。より詳しくは、処理実行部４４０は取引選択画面に表示された金額の現金を払い出す。これにより、顧客Ｐ２は取引伝票に記載された金額の現金を受け取ることができる。
【００６４】
ステップＳ２１５の処理が完了すると、処理依頼部４２０はＤＢサーバ３００に対し更新処理を依頼する（ステップＳ２１６）。ＤＢサーバ３００は更新処理が依頼されると、情報処理部３３０は更新処理を実行する（ステップＳ２１７）。より詳しくは、情報処理部３３０は出金情報記憶部３１０にアクセスし、出金情報記憶部３１０が一時預り資金として記憶する出金情報の金額を、取引処理機４００から払い出された現金の金額を減額した金額に更新する。したがって、図１２（ｃ）に示すように、取引処理機４００から３０万円の現金が払い出された場合には、情報処理部３３０は出金情報記憶部３１０が一時預り資金として記憶する３０万円を０円に更新する。尚、取引処理機４００から１０万円の現金が払い出された場合には、情報処理部３３０は出金情報記憶部３１０が一時預り資金として記憶する３０万円を２０万円に更新する。この場合、取引処理機４００では、画面表示部４３０が一時預り資金を２０万円とする取引選択画面を改めて表示する。
【００６５】
以上、本実施形態によれば、取引処理システムＳＴは営業店端末１００に対応する専用口座が登録された勘定系ホスト２００とＤＢサーバ３００と取引処理機４００とを備えている。特に、取引処理機４００は指示受付部４１０と処理実行部４４０と処理依頼部４２０とを備えている。指示受付部４１０は営業店端末に対応する専用口座を指定した、出金取引に関する第１指示を受け付けたり、顧客の識別情報を指定した、出金取引に関する第２指示を受け付けたりする。処理実行部４４０は第２指示を受け付けると、第２指示に対応する金額の出金処理を実行する。処理依頼部４２０は第１指示を受け付けると、第１指示に対応する金額を顧客Ｐ２の識別情報と対応づけてＤＢサーバ３００に記録する処理を依頼する。また、処理依頼部４２０は第２指示を受け付けると、ＤＢサーバ３００に対して、記録された金額を第２指示に対応する金額に基づいて更新する処理を依頼する。これにより、図７、図９及び図１０にも示すように、営業店端末１００とＤＢサーバ３００との通信を回避した取引処理を実行することができる。
【００６６】
以上、本発明の好ましい実施形態について詳述したが、本発明に係る特定の実施形態に限定されるものではなく、特許請求の範囲に記載された本発明の要旨の範囲内において、種々の変形・変更が可能である。例えば、上述したように、営業店端末１００に対応する専用口座と、その営業店端末１００と異なる別の営業店端末（不図示）に対応する専用口座が区別して勘定系ホスト２００に登録される。すなわち、専用口座は端末毎に勘定系ホスト２００に登録される。
【００６７】
また、上述した実施形態では、出金情報記憶部３１０に一時預り資金として記憶された資金の全額を現金で払い出すことを説明したが、例えば資金の半額を現金で払い出し、残りの半額で税金を納付するようにしてもよい。この場合、図１１（ｇ）に示す取引選択画面に現金を払い出した後に一時預り資金として表示される金額（すなわち税金納付用の半額）を専用口座に入金する操作ボタンを設ける。そして、この操作ボタンが押下された場合には、出金情報記憶部３１０に一時預り資金として記憶された資金の情報を取引処理機４００経由で勘定系ホスト２００に登録された対応の専用口座に入金し、出金情報記憶部３１０に記憶された資金の情報を減額後の情報に更新する。そして、銀行員Ｐ１は顧客Ｐ２から受け付けた税金の納付書を確認し、営業店端末１００を操作して勘定系ホスト２００にアクセスし、専用口座に入金された資金の情報を納税準備金などの口座に振り替える。このように、一度、ＤＢサーバ３００に記録された資金の情報を取引処理機４００に対する操作により専用口座に入金し直し、専用口座に入金された資金の情報を営業店端末１００で別の口座に振り替える処理などを行うようにしてもよい。
【００６８】
さらに、上述したように、ＤＢサーバ３００が有する機能を取引処理機４００に設ければ、取引処理機４００は第１指示に対応する金額の資金を表す金銭情報を顧客Ｐ２の識別情報と対応づけて保持することができる。また、取引処理機４００は第２指示を受け付けると、第２指示に対応する金額の資金を表す金銭情報に対する出金処理を実行するとともに、保持した金銭情報を第２指示に対応する金額の資金を表す金銭情報に基づいて更新することができる。
【００６９】
なお、以上の説明に関して更に以下の付記を開示する。
（付記１）端末に対応する専用口座を指定した、出金取引に関する第１の指示を受け付けると、前記第１の指示に対応する第１の金額を顧客の識別情報と対応づけて情報処理装置に記録する処理を依頼し、前記識別情報を指定した、前記出金取引に関する第２の指示を受け付けると、前記第２の指示に対応する第２の金額の出金処理を実行するとともに、前記情報処理装置に対して、記録された前記第１の金額を前記第２の金額に基づいて更新する処理を依頼する、処理をコンピュータに実行させることを特徴とする取引処理プログラム。
（付記２）前記コンピュータに、前記第１の指示に対応する第１の金額を前記専用口座から出金して前記識別情報と対応づけて前記情報処理装置に記録する処理を依頼する、処理を実行させることを特徴とする付記１に記載の取引処理プログラム。
（付記３）前記コンピュータに、前記情報処理装置に対して、記録された前記第１の金額から前記第２の金額を減額した第３の金額に更新する処理を依頼する、処理を実行させることを特徴とする付記１又は２に記載の取引処理プログラム。
（付記４）勘定系のホスト装置に預金口座と区別して端末に対応付けて登録された振替用口座を識別する第１の識別情報を指定した、出金取引に関する第１の指示を受け付けると、前記第１の識別情報の振替用口座に資金が振り替えられている場合には、前記第１の指示に対応する第１の金額の資金を表す金銭情報を、顧客を識別する第２の識別情報と対応づけて情報処理装置に記録する処理を依頼し、前記第２の識別情報を指定した、前記出金取引に関する第２の指示を受け付けると、前記第２の指示に対応する第２の金額の資金を表す金銭情報に対する出金処理を実行するとともに、前記情報処理装置に対して、記録された前記第１の金額の金銭情報を前記第２の金額の金銭情報に基づいて更新する処理を依頼する、処理をコンピュータに実行させることを特徴とする取引処理プログラム。
（付記５）前記コンピュータに、前記振替用口座に関する口座番号を事前に記憶させ、記憶させた前記口座番号に基づいて、前記コンピュータに対して入力された口座番号の正当性を確認する、処理を実行させることを特徴とする付記４に記載の取引処理プログラム。
（付記６）前記コンピュータに、前記振替用口座に関する店番、科目、及び口座番号を含む口座情報を事前に記憶させ、前記コンピュータに対して口座番号が入力された場合、入力された前記口座番号を含む前記口座情報に基づいて、前記ホスト装置に送信する情報を生成する、処理を実行させることを特徴とする付記４又は５に記載の取引処理プログラム。
（付記７）前記端末と前記情報処理装置との通信は遮断されている、ことを特徴とする付記１から６のいずれか１項に記載の取引処理プログラム。
（付記８）端末に対応する専用口座を指定した、出金取引に関する第１の指示を受け付けると、前記第１の指示に対応する第１の金額を顧客の識別情報と対応づけて情報処理装置に記録する処理を依頼し、前記識別情報を指定した、前記出金取引に関する第２の指示を受け付けると、前記第２の指示に対応する第２の金額の出金処理を実行するとともに、前記情報処理装置に対して、記録された前記第１の金額を前記第２の金額に基づいて更新する処理を依頼する、処理をコンピュータが実行することを特徴とする取引処理方法。
（付記９）端末に対応する専用口座を指定した、出金取引に関する第１の指示、及び顧客の識別情報を指定した、出金取引に関する第２の指示を受け付ける指示受付部と、前記第２の指示を受け付けると、前記第２の指示に対応する第２の金額の出金処理を実行する処理実行部と、前記第１の指示を受け付けると、前記第１の指示に対応する第１の金額を前記識別情報と対応づけて情報処理装置に記録する処理を依頼し、前記第２の指示を受け付けると、前記情報処理装置に対して、記録された前記第１の金額を前記第２の金額に基づいて更新する処理を依頼する処理依頼部と、を備えることを特徴とする取引処理機。
（付記１０）端末に対応する専用口座が登録された勘定系のホスト装置と、情報処理装置と、前記専用口座を指定した、出金取引に関する第１の指示を受け付けると、前記第１の指示に対応する第１の金額を顧客の識別情報と対応づけて前記情報処理装置に記録する処理を依頼し、前記識別情報を指定した、前記出金取引に関する第２の指示を受け付けると、前記第２の指示に対応する第２の金額の出金処理を実行するとともに、前記情報処理装置に対して、記録された前記第１の金額を前記第２の金額に基づいて更新する処理を依頼する取引処理機と、を備えることを特徴とする取引処理システム。
（付記１１）端末に対応する専用口座が登録された勘定系のホスト装置と、前記専用口座を指定した、出金取引に関する第１の指示を受け付けると、前記第１の指示に対応する第１の金額を顧客の識別情報と対応づけて保持し、前記識別情報を指定した、前記出金取引に関する第２の指示を受け付けると、前記第２の指示に対応する第２の金額の出金処理を実行するとともに、保持した前記第１の金額を前記第２の金額に基づいて更新する取引処理機と、を備えることを特徴とする取引処理システム。
【符号の説明】
【００７０】
ＳＴ  取引処理システム
１００  営業店端末
２００  勘定系ホスト
３００  ＤＢサーバ
４００  取引処理機
４１０  指示受付部
４２０  処理依頼部
４３０  画面表示部
４４０  処理実行部
【図１】
2019212185.tif 000003
【図２】
2019212185.tif 000004
【図３】
2019212185.tif 000005
【図４】
2019212185.tif 000006
【図５】
2019212185.tif 000007
【図６】
2019212185.tif 000008
【図７】
2019212185.tif 000009
【図８】
2019212185.tif 000010
【図９】
2019212185.tif 000011
【図１０】
2019212185.tif 000012
【図１１】
2019212185.tif 000013
【図１２】
2019212185.tif 000014